(57)【要約】【課題】組み込みシステムとＷＯＬ機能との組み合わせにおいて、組み込みシステムの演算装置を起動させて電子機器全体をオンする以外の有効な構成を提案する。【解決手段】複合機１において、ＬＡＮコントローラ１７が起動パケットを受信して起動信号を出力すると、これが入力される起動信号制御部３１が、副電源回路２５ａ〜２５ｃのうちの起動対象の副電源回路２５に、当該回路２５を起動させるイネーブル信号を供給する。これにより、主電源回路２３を起動させることなく副電源回路２５を起動させることができる。【選択図】図１
2013196485.tif 000002
【特許請求の範囲】
【請求項１】
演算装置が搭載された制御基板上に、
当該制御基板の主電源部と、
前記主電源部とは独立して設けられた少なくとも１つの副電源部と、
ネットワーク上の制御端末より起動パケットを受信して起動信号を出力するＬＡＮ制御部と、
前記ＬＡＮ制御部より出力された起動信号が入力されると、前記副電源部を起動させる第１信号を前記副電源部に供給して、前記主電源部を起動させることなく前記副電源部を起動させる第１信号出力部とを有し、
前記副電源部が起動することで、当該副電源部を電力供給源とする動作部が動作することを特徴とする電子機器。
【請求項２】
前記ＬＡＮ制御部より出力された起動信号が入力されると、第２信号を前記演算装置に供給する第２信号出力部と、
前記第１信号出力部および第２信号出力部における第１信号および第２信号の信号供給を、設定値に基づいて排他的に切り替え制御する切り替え部とを有し、
前記演算装置は、前記第２信号を受信することで前記主電源部を起動させ、前記制御基板上の各動作部の機能を有効にすることを特徴とする請求項１に記載の電子機器。
【請求項３】
前記副電源部が複数である場合に、
前記切り替え部は、設定値に基づいて、前記第１信号を供給する供給先となる副電源部を選択することを特徴とする請求項２に記載の電子機器。
【請求項４】
前記第１信号を供給する対象の前記副電源部が起動しているか否かの情報を取得する情報取得部を有し、
前記第１信号出力部は、前記第１信号としてイネーブル信号を供給し、前記情報取得部の情報に基づき、前記副電源部が起動していない場合はイネーブル信号をアクティブとし、前記副電源部が起動している場合はイネーブル信号をインアクティブとすることを特徴とする請求項１〜３の何れか１項に記載の電子機器。
【請求項５】
前記第１信号出力部より第１信号が出力されると、前記ＬＡＮ制御部を前記起動パケットを受信可能な状態に戻す初期化部をさらに備えることを特徴とする請求項１〜４の何れか１項に記載の電子機器。
【請求項６】
前記請求項１〜５の何れか１項に記載の電子機器と、
前記電子機器とネットワークを介して接続され、前記電子機器に起動パケットを送信する制御端末とを含む電子機器制御システム。
【発明の詳細な説明】
【技術分野】
【０００１】
本発明は、ＷＯＬ（Ｗａｋｅ Ｏｎ ＬＡＮ）機能を持つＬＡＮコントローラを備えたおよび電子機器制御システムに関する。
【背景技術】
【０００２】
家庭用機器、産業用機器、医療用機器など、電子制御を必要とするほとんどの製品に組み込みシステムが用いられている。組み込みシステムとは、エンベデッドシステム(Embedded system)とも称され、特定の機能を実現するために家電製品や機械等に組み込まれるコンピュータシステムのことである。
【０００３】
パソコンなどの汎用のコンピュータシステムとは異なり、要求される機能や性能が極めて限定され、厳しいコスト上の制限から利用可能な資源に強い制約があるのが特徴である。例えば、制御基板上に安価なＣＰＵと少ないメモリ、プログラムを内蔵するＲＯＭが搭載された構成を有する。
【０００４】
また、近年のネットワーク接続が可能な電子機器では、ネットワーク上の別の端末から、マジックパケット（登録商標）などの特殊なネットワークパケット（以降、起動パケットと称する）を受信することで、電源がオン状態となるＷＯＬ（Ｗａｋｅ Ｏｎ ＬＡＮ）機能を持つものが多い。
【０００５】
ＷＯＬ機能を有する電子機器では、電子機器の電源がオフであっても、電子機器が備えるＬＡＮコントローラのネットワークのポートはリンク・アップされていて、起動パケットを受信できる。ＬＡＮコントローラは、起動パケットを受け取ると、起動用の信号を出力してＣＰＵを起動させる。ＣＰＵが起動用の信号を受け取ることで、電子機器の電源がオンし、ＣＰＵが搭載されている制御基板上の各機能が動作可能となる。ＷＯＬ機能を有する電子機器について記載された先行技術文献としては、例えば、特許文献１，２がある。
【先行技術文献】
【特許文献】
【０００６】
【特許文献１】特開２０１０−１１３４１号公報（２０１０年１月１４日公開）
【特許文献２】特開２０１０−３５２０９号公報（２０１０年２月１２日公開）
【発明の概要】
【発明が解決しようとする課題】
【０００７】
今日の無線ＬＡＮの普及に伴い、将来的には、家庭用機器の多くのものがＬＡＮを介して、ネットワーク上の別の端末と接続されることも想定されている。そのため、組み込みシステムを用いた家庭用機器にＷＯＬ機能が搭載されることも十分に考えられる。
【０００８】
例えば、デジタル複合機にも組み込みシステムが用いられているが、複合機にＷＯＬ機能を搭載して、複合機の備えるＬＡＮコントローラに起動パケットを送信することで、デジタル複合機のＣＰＵを起動させるといったことも可能である。
【０００９】
しかしながら、組み込みシステムとＷＯＬ機能との組み合わせについては十分に検討されていない。そのため、電子機器に用いられている組み込みシステムのＣＰＵを起動させて電子機器をオンするといった構成に留まり、さらなる有効な構成については提案されていない。
【００１０】
例えば、ＣＰＵが搭載されている上記制御基板が各機能を制御する電子機器においては、ＣＰＵの電源がオフの状態（ＣＰＵを搭載した制御基板の主電源がオフ状態）では、全ての機能の動作が不可能となる。換言すると、各機能の中の一つの機能のみを有効にしたい場合でも、制御基板の電源をオンにする必要がある。
【００１１】
このため、例えば、複合機において、設置場所の室温が上昇したりして機内の温度が上昇し、一機能としての冷却ファンを動かすことが望ましいような場合であっても、複合機の主電源が入っていない状態では、動かすことができない。
【００１２】
一方、複合機に搭載されている組み込みシステムにＷＯＬ機能を搭載させ、複合機が接続されているネットワーク上の温度管理等を行う別の端末装置より起動パケットを送ることで、複合機の主電源をオンしてファンを回転させることはできる。
【００１３】
しかしながら、複合機の主電源をオンにすることで、ファン以外の機能も全て有効になるため、その分消費電力も無駄にかかり、しかも、制御基板が完全に起動するまでの時間もかかる。
【００１４】
本発明は、上記課題に鑑みなされたもので、組み込みシステムとＷＯＬ機能との組み合わせにおいて、組み込みシステムの演算装置を起動させて電子機器全体をオンする以外の有効な構成を提案することとを目的としている。
【課題を解決するための手段】
【００１５】
上記の課題を解決するために、本発明の電子機器は、演算装置が搭載された制御基板上に、当該制御基板の主電源部と、前記主電源部とは独立して設けられた少なくとも１つの副電源部と、ネットワーク上の制御端末より起動パケットを受信して起動信号を出力するＬＡＮ制御部と、前記ＬＡＮ制御部より出力された起動信号が入力されると、前記副電源部を起動させる第１信号を前記副電源部に供給して、前記主電源部を起動させることなく前記副電源部を起動させる第１信号出力部とを有し、前記副電源部が起動することで、当該副電源部を電力供給源とする動作部が動作することを特徴としている。
【００１６】
これによれば、ＬＡＮ制御部が起動パケットをネットワーク上の制御端末より受け取ることで、第１信号出力部が、副電源部を起動させる第１信号を副電源部に供給する。これにより、主電源部を起動させることなく副電源部が起動し、当該副電源部を電力供給源とする動作部が動作を開始する。
【００１７】
したがって、電子機器の一部の動作部を、副電源部と接続しておくことで、主電源部を起動させることなく、副電源部を立ち上げて、これに接続されている動作部を動作させることができる。
【００１８】
このように、本発明によれば、組み込みシステムを構成する制御基板とＷＯＬ機能を有するＬＡＮ制御部との組み合わせにおいて、制御基板の演算装置を起動させて電子機器全体をオンする以外の有効な構成を提案することができる。
【００１９】
本発明の電子機器においては、さらに、前記ＬＡＮ制御部より出力された起動信号が入力されると、第２信号を前記演算装置に供給する第２信号出力部と、前記第１信号出力部および第２信号出力部における第１信号および第２信号の信号供給を、設定値に基づいて排他的に切り替え制御する切り替え部とを有し、前記演算装置は、前記第２信号を受信することで前記主電源部を起動させ、前記制御基板上の各動作部の機能を有効にする構成とすることもできる。
【００２０】
これによれば、従来からあるＷＯＬ機能と同様に、電子機器の主電源部を起動させて、電子機器全体を起動させることができる。
【００２１】
本発明の電子機器においては、さらに、前記副電源部が複数である場合に、前記切り替え部は、設定値に基づいて、前記第１信号を供給する供給先となる副電源部を選択することができる構成としてもよい。
【００２２】
これによれば、設定値を変更することで、電子機器全体を起動させる場合を含め、動作させたい動作部が接続されている副電源部を選択的に起動させることができるので、利便性が向上する。
【００２３】
本発明の電子機器においては、さらに、前記第１信号を供給する対象の前記副電源部が起動しているか否かの情報を取得する情報取得部を有し、前記第１信号出力部は、前記第１信号としてイネーブル信号を供給し、前記情報取得部の情報に基づき、前記副電源部が起動していない場合はイネーブル信号をアクティブとし、前記副電源部が起動している場合はイネーブル信号をインアクティブとする構成とすることが好ましい。
【００２４】
これによれば、起動パケットを受信する度に、副電源部をオンする、もしくはオフするといった交互制御が可能になり、利便性がさらに向上する。
【００２５】
本発明の電子機器においては、さらに、前記第１信号出力部より第１信号が出力されると、前記ＬＡＮ制御部を前記起動パケットを受信可能な状態に戻す初期化部をさらに備える構成が好ましい。
【００２６】
ＬＡＮ制御部の構成によっては、一度、起動パケットを受信すると、初期化されるまで次の起動パケットを受信しない構成のものがあるが、このような構成のＬＡＮ制御部でも、次に起動パケットの受け付けが可能になる。
【００２７】
また、本発明は、前記た本発明の電子機器と、前記電子機器とネットワークを介して接続され、前記電子機器に起動パケットを送信する制御端末とを含む電子機器制御システムも発明の範疇としている。
【発明の効果】
【００２８】
本発明は、電子機器の一部の動作部を、副電源部と接続しておくことで、主電源部を起動させることなく、副電源部を立ち上げて、これに接続されている動作部を動作させることができる。これにより、組み込みシステムを構成する制御基板とＷＯＬ機能を有するＬＡＮ制御部との組み合わせにおいて、制御基板の演算装置を起動させて電子機器全体をオンする以外の有効な構成を提案する。
【図面の簡単な説明】
【００２９】
【図１】本発明の実施の一形態である複合機を含む複合機制御システムの構成を示すブロック図である。
【図２】上記複合機の制御基板に搭載された起動信号管理回路の詳細構成を示すブロック図である。
【図３】上記複合機における遠隔起動モードにおける処理の流れを示すフローチャートである。
【発明を実施するための形態】
【００３０】
以下、本発明の実施の形態について、詳細に説明する。
【００３１】
図１に示すように、本実施の形態にかかる複合機（電子機器）１は、ネットワーク３を介して起動パケットを送信する制御用ＰＣ（制御端末）８と接続されている。複合機１と制御用ＰＣ８とで、複合機制御システム（電子機器制御システム）１００を構成する。
【００３２】
図１は、複合機制御システム１００の構成を示すブロック図である。複合機１は、プロセッサ（演算装置、ＣＰＵ）を搭載した制御基板１０を有している。該制御基板１０が、組み込みシステムを構成する。制御基板１０は、配線基板にプロセッサ２１が搭載されたものと定義する。つまり、プロセッサ２１は制御基板１０の一構成部である。
【００３３】
制御基板１０には、主電源回路（主電源部）２３、３つの副電源回路（副電源部）２５ａ〜２５ｃ、ＬＡＮコントローラ（ＬＡＮ制御部）１７、起動信号管理回路１９等も搭載されている。
【００３４】
制御基板１０の主電源回路２３がオン（起動）することにより、プロセッサ２１に電力が供給され、プロセッサ２１が起動する。プロセッサ２１は、複合機１における各動作部の機能を有効にしてその制御を行う。
【００３５】
副電源回路２５ａ〜２５ｃは、主電源回路２３とは独立して設けられ、互いに独立している。副電源回路２５ａ〜２５ｃは、イネーブル信号がアクティブである場合にオンし、イネーブル信号がインアクティブである場合にオフする。イネーブル信号は、プロセッサ２１もしくは起動信号管理回路１９より入力される。遠隔起動モードではない通常の起動モードでは、主電源回路２３がオンされて起動したプロセッサ２１が、副電源回路２５ａ〜２５ｃに供給するイネーブル信号をアクティブにする。これにより、副電源回路２５ａ〜２５ｃがオンする。
【００３６】
プロセッサ２１が制御する各動作部としては、副電源回路２５ａ〜２５ｃのほか、特に図示してはいないが、画像データに基づいて画像を印刷する印刷エンジン部、原稿より画像を読み取って画像データを生成するスキャナ部、用紙を印刷エンジン部に供給する用紙搬送部、複合機１に対する指示入力を可能にする操作パネル部などがある。
【００３７】
ＬＡＮコントローラ１７は、複合機１とネットワーク３との接続を可能にする。ＬＡＮコントローラ１７は、ＷＯＬ（Ｗａｋｅ Ｏｎ ＬＡＮ）機能に対応している。ＬＡＮコントローラ１７は、主電源回路２３がオフであっても、ネットワークのポートはリンク・アップされていて、ネットワーク３上の制御用ＰＣ８から送信された起動パケットを受信できる。
【００３８】
ＬＡＮコントローラ１７は、起動パケットを受信すると、受信した起動パケットが自身宛であるか否かを判断する。そして、自身宛である場合に、起動信号を起動信号管理回路１９へ出力する。
【００３９】
起動パケットとしては、例えば、マジックパケット（登録商標）がある。起動パケットがマジックパケット（登録商標）である場合は、マジックパケット（登録商標）の中のＭＡＣアドレスと自信のＭＡＣアドレスが一致する場合に、ＬＡＮコントローラ１７は、起動パケットが自身宛であると判断する。
【００４０】
起動信号管理回路１９は、ＬＡＮコントローラ１７より起動信号が入力されると、副電源回路２５ａ〜２５ｃの少なくとも何れか１つをオン（起動）させる第１信号を出力できるものである。また、起動信号管理回路１９は、ＬＡＮコントローラより起動信号が入力されると、プロセッサ２１に出力する第２信号を出力できるものである。
【００４１】
起動信号管理回路１９は、後述する設定部３２の設定内容に基づいて、第１信号と第２信号とを排他的に出力する。つまり、第１信号を副電源回路２５ａ〜２５ｃの少なくとも何れかに出力する設定が成されている場合は、第２信号をプロセッサ２１に出力することはない。同様に、第２信号をプロセッサ２１に出力する設定が成されている場合、第１信号を副電源回路２５ａ〜２５ｃの何れにも出力することはない。
【００４２】
起動信号管理回路１９は、第１信号として、例えばイネーブル信号を出力する。起動信号管理回路１９は、副電源回路２５ａ〜２５ｃのうちの選択されている副電源回路２５にイネーブル信号を送る。これにより、選択された副電源回路２５のみがイネーブル信号に基づいてオン／オフする。このとき、プロセッサ２１には第２信号が送られることはないので、主電源回路２３はオフのままである。
【００４３】
起動信号管理回路１９は、第２信号として、例えば、ＬＡＮコントローラ１７より入力された起動信号をそのまま出力する。これにより、従来のＷＯＬと同様の機能が働く。つまり、起動信号を受け取ったプロセッサ２１により主電源回路２３がオンされ、プロセッサ２１に給電がなされてプロセッサ２１が起動する。
【００４４】
これにより、複合機１における各動作部の機能が有効になる。各動作部の１つのである副電源回路２５ａ〜２５ｃについても同様で、プロセッサ２１が副電源回路２５ａ〜２５ｃへ供給するイネーブル信号をアクティブになることで、全ての副電源回路２５ａ〜２５ｃがオンする。
【００４５】
副電源回路２５ａ〜２５ｃには、複合機１における各動作部の１つである、ファン１１、ＬＥＤ１３、および空気清浄機が接続されている。具体的には、副電源回路２５ａにファン１１が接続され、副電源回路２５ｂにＬＥＤ１３が接続され、副電源回路２５ｃに空気清浄機１５が接続されている。
【００４６】
ファン１１は、複合機１内部に空気流を送りこんで機内を冷却するものである。ＬＥＤ１３は、複合機１の操作パネル部に設けられた発光部である。空気清浄機１５は、複合機１に搭載された室内の空気を清浄にするものである。これらファン１１、ＬＥＤ１３、および空気清浄機１５は、自身が接続された副電源回路２５がオンすることで、動作を開始する。
【００４７】
図２は、上記起動信号管理回路１９の詳細構成を示すブロック図である。図２に示すように、起動信号管理回路１９は、起動信号制御部（第１信号出力部、第２信号出力部、切り替え部）３１、設定部３２、ＬＡＮコントローラ初期化部（初期化部）３６、電源状態管理部（情報取得部）３５とを備える。
【００４８】
起動信号制御部３１に、ＬＡＮコントローラ１７からの起動信号が入力されると、起動信号制御部３１は、上記第１信号であるイネーブル信号を副電源回路２５ａ〜２５ｃのうちの選択されたものに送るか、或いは上記第２信号である起動信号をプロセッサ２１に送る。起動信号制御部３１は、イネーブル信号を何れの副電源回路２５ａ〜２５ｃに送るか、それとも起動信号をプロセッサ２１に送るかを、設定部３２の設定内容に基づいて決定する。
【００４９】
設定部３２は、設定レジスタ３３と物理スイッチ３４とを有し、設定レジスタ３３あるいは物理スイッチ３４の何れかを用いて、イネーブル信号を副電源回路２５ａ〜２５ｃの何れに出力するか、或いは起動信号をプロセッサ２１に出力するかを設定することができる。設定レジスタ３３を備えることで、利用者があらかじめソフトウエア的に、上記設定
を行え、物理スイッチ３４を設けることで、利用者があらかじめ物理的に上記設定を行うことができる。
【００５０】
例えば、プロセッサ２１には設定値「１」が割り当てられ、副電源回路２５ａには「２」、副電源回路２５ｂには「３」、副電源回路２５ｃには「４」が割り当てられているとする。ここで、設定レジスタ３３に、「１」が設定されている場合は、起動信号制御部３１は、起動信号をそのままプロセッサ２１に出力する。同様にして、例えば「３」が設定されている場合は、起動信号制御部３１は、イネーブル信号を副電源回路２５ｂに出力する。なお、プロセッサ２１と副電源回路２５ａ〜２５ｃとの間は、排他的な選択となるが、副電源回路２５ａ〜２５ｃの中では、複数の選択も可能である。
【００５１】
物理スイッチも同様であり、プロセッサ２１と副電源回路２５ａ〜２５ｃとの間は、排他的な選択となる構成となっているが、副電源回路２５ａ〜２５ｃの中では、複数の選択も可能である。
【００５２】
特に、本実施の形態のように、独立した複数の副電源回路２５ａ〜２５ｃを備える構成においては、設定レジスタ３３のビット数や物理スイッチ３４の数を増やすことで、複数の副電源回路２５ａ〜２５ｃ内での選択が可能となる。
【００５３】
設定レジスタ３３に対する設定は、主電源回路２３がオンしている動作中に、プロセッサ２１経由で編集できる。具体的には、複合機１が起動している状態で、複合機１に備えられた操作パネル部などより設定できる。
【００５４】
起動信号制御部３１は、設定部３２に設定されている内容から、起動信号をプロセッサ２１に送ると判断した場合は、特別な処理なく、プロセッサ２１へ起動信号を送る。
【００５５】
一方、起動信号制御部３１は、設定部３２に設定されている内容から、副電源回路２５ａ〜２５ｃのうちのイネーブル信号を送る対象を特定すると、まず、電源状態管理部３５より、イネーブル信号を送る対象の副電源回路２５のオン・オフ状態を取得する。
【００５６】
電源状態管理部３５は、副電源回路２５ａ〜２５ｃそれぞれのオン・オフの情報を取得するものである。電源状態管理部３５は、少なくとも、イネーブル信号を送信する対象の副電源回路２５のオン・オフ状態を取得していればよい。電源状態管理部３５は、イネーブル信号を送る対象の副電源回路２５がオンであるかオフであるかを知らせる信号であるオン・オフ報知信号を起動信号制御部３１に出力する。
【００５７】
起動信号制御部３１は、イネーブル信号を送る対象の副電源回路２５がオフの場合は、対象の副電源回路２５へイネーブル信号をアクティブ（有効）にして送る。これにより、対象の副電源回路２５がオンする。一方、イネーブル信号を送る対象の副電源回路２５がオンの場合は、対象の副電源回路２５へイネーブル信号をインアクティブ（無効）にして送る。これにより、対象の副電源回路２５がオフする。
【００５８】
ＬＡＮコントローラ初期化部３６は、起動信号制御部３１よりイネーブル信号が出力されると、ＬＡＮコントローラ１７を起動パケットを受信可能な状態に戻すものである。起動パケットがマジックパケット（登録商標）である場合、一般的なＬＡＮコントローラは、起動パケットを一旦受信すると、初期化が行われるまで、次の起動パケットを受け付けない仕組みとなっている。
【００５９】
そのため、プロセッサ２１は、起動信号を受け取って主電源回路２３を立ち上げた場合は、起動した際に、ＬＡＮコントローラ１７に初期化指示信号を出力して、ＬＡＮコント
ローラ１７を初期化する。これにより、ＬＡＮコントローラ１７は次の起動パケットの受け付けが可能になる。
【００６０】
上記ＬＡＮコントローラ初期化部３６は、このプロセッサ２１による初期化指示信号と同じ信号を、ＬＡＮコントローラ１７に出力してＬＡＮコントローラ１７の初期化を行わせるものである。ＬＡＮコントローラ初期化部３６は、副電源回路２５ａ〜２５ｃの少なくとも何れかへ出力されるイネーブル信号の状態がアクティブからインアクティブ、あるいはインアクティブからアクティブへの切り替わりを検出すると、初期化指示信号をＬＡＮコントローラ１７へ出力する。これにより、主電源回路２３がオフのまま、ＬＡＮコントローラ１７を初期化して、ＬＡＮコントローラ１７を次の起動パケットの受け付け可能な状態とできる。
【００６１】
図３は、複合機１が起動パケットを受信して、副電源回路２５ａ〜２５ｃあるいはプロセッサ２１を介して主電源回路２３を立ち上げる遠隔起動モードの手順を示すフローチャートである。
【００６２】
図３に示すように、複合機１において、ＬＡＮコントローラ１７は自身宛の起動パケットを受信すると（Ｓ１）、起動信号管理回路１９に起動信号を出力する。起動信号管理回路１９の起動信号制御部３１は、設定部３２の設定内容に基づいて起動させるべき起動対象が何かを判定する（Ｓ２）。つまり、プロセッサ２１であるのか、副電源回路２５ａ〜２５ｃである場合は、そのうちのどの副電源回路２５を起動させるかを判定する。
【００６３】
起動対象がプロセッサ２１である場合は、Ｓ３に進み、起動信号をプロセッサ２１に出力する。プロセッサ２１は、起動信号が入力されると主電源回路２３をオンする（Ｓ４）。これにより、プロセッサ２１をはじめとして、制御基板１０に主電源回路２３より電力供給がなされ、制御基板１０が立ち上がる。そして、起動したプロセッサ２１は、初期化指示信号をＬＡＮコントローラ１７に出力して、ＬＡＮコントローラ１７を初期化する。これにより、ＬＡＮコントローラ１７は次の起動信号を受信可能となる。Ｓ５の後、処理はＳ１に戻る。
【００６４】
一方、Ｓ２において、起動対象が副電源回路２５ａ〜２５ｃの何れかである場合は、起Ｓ６に進む。Ｓ６では、起動信号制御部３１が、電源状態管理部３５からのオン・オフ報知信号に基づいて、起動対象の副電源回路２５がオン状態にあるかオフ状態にあるか判定する。オフ状態である場合は、Ｓ７に進み、起動信号制御部３１は、起動対象の副電源回路２５に入力するイネーブル信号をアクティブにする。これにより、起動対象の副電源回路２５がオンする（Ｓ８）。
【００６５】
一方、Ｓ６において、起動対象の副電源回路２５がオン状態にあると判定すると、Ｓ１０に進み、起動信号制御部３１は、起動対象の副電源回路２５に入力するイネーブル信号をインアクティブにする。これにより、起動対象の副電源回路２５がオフする（Ｓ１１）。
【００６６】
Ｓ８もしくはＳ１１にて、起動対象の副電源回路をオフもしくはオフした後、ＬＡＮコントローラ初期化部３６が、初期化指示信号をＬＡＮコントローラ１７に出力して、ＬＡＮコントローラ１７を初期化する（Ｓ９）。
【００６７】
以上のように、本実施形態の複合機１および、複合機制御システム１００においては、ネットワーク３上に接続されている制御用ＰＣ８から起動信号を受け取ることで、ＷＯＬ機能を用いて、主電源回路２３を起動することなく、副電源回路２５のみを起動させて、これに接続された動作部であるファン１１、ＬＥＤ１３、あるいは空気清浄機１５を単独
で動作させることができる。
【００６８】
したがって、例えば、複合機１において、ファン１１が接続されている副電源回路２５ａに、起動パケットの受信でイネーブル信号が入力されるように設定部３２を設定しておく。そして、制御用ＰＣ８においては、複合機１の設置されている環境の温度を監視し、温度が予め定めた温度を超えた場合に、起動パケットを複合機１に送信してファン１１を回転させ、温度の低下を確認すると、再度、起動パケットを複合機１に送信してファン１１を停止させるといった、遠隔制御が可能となる。
【００６９】
或いは、複合機１において、ＬＥＤ１３が接続されている副電源回路２５ｂに、起動パケットの受信でイネーブル信号が入力されるように設定部３２を設定しておく。そして、制御用ＰＣ８においては、複合機１の設置されている環境の明るさを監視し、環境が予め定めた値を超えて暗くなった場合（照明が消された場合）に、起動パケットを複合機１に送信してＬＥＤ１３を点灯させ、明るくなったことを確認すると（照明が付いり、夜が明けた場合）、再度、起動パケットを複合機１に送信してＬＥＤ１３を消灯させるといった、遠隔制御が可能となる。
【００７０】
或いは、複合機１において、空気清浄機１５が接続されている副電源回路２５ｃに、起動パケットの受信でイネーブル信号が入力されるように設定部３２を設定しておく。そして、制御用ＰＣ８においては、複合機１の設置されている空気の汚れを監視し、環境の空気汚れが予め定めた値を超えた場合に、起動パケットを複合機１に送信して空気清浄機１５を動作させ、空気汚れが改善したことを確認すると、再度、起動パケットを複合機１に送信して空気清浄機１５の動作を消灯させるといった、遠隔制御が可能となる。
【００７１】
なお、ここでは、組み込みシステムを用いた電子機器として、複合機１を例示したが、基本、ＷＯＬ機能を有するＬＡＮコントローラを搭載可能な電子機器であれば、本発明を適用することができうる。つまり、電子機器の制御基板が動作を制御する一部の動作部を副電源回路を介して動作させるように構成しておけばよい。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７３】
本発明は、組み込みシステムを用いた電子機器の一部の機能を電子機器の主電源部を立ち上げることなく、遠隔操作で起動できるので、家庭用機器、産業用機器、医療用機器など、電子制御を必要とするほとんどの製品において、適用することができる。
【符号の説明】
【００７４】
１  複合機（電子機器）
３  ネットワーク
８    制御用ＰＣ（制御端末）
１０  制御基板
１１  ファン
１３  ＬＥＤ
１５  空気清浄機
１７  ＬＡＮコントローラ（ＬＡＮ制御部）
１９  起動信号管理回路
２１  プロセッサ（演算装置）
２３  主電源回路（主電源部）
２５ａ〜２５ｃ  副電源回路（副電源部）
３１  起動信号制御部（第１信号出力部、第２信号出力部、切り替え部）
３２  設定部
３３  設定レジスタ
３４  物理スイッチ
３５  電源状態管理部（情報取得部）
３６  ＬＡＮコントローラ初期化部（初期化部）
１００  複合機制御システム
【図１】
2013196485.tif 000003
【図２】
2013196485.tif 000004
【図３】
2013196485.tif 000005